(57)【要約】【課題】  標準電波の受信動作前に、時刻の午前と午後を自動的に決定することによって、電波修正時計の使用者は午前午後を意識することなく時刻修正や時差修正が可能となり、操作性に優れ、また、標準電波の受信開始を受信環境の良い深夜に設定して、信頼性の高い電波修正時計及びその制御方法を提供する。【解決手段】  標準時刻情報を含む標準電波を受信する受信部２０と、該受信部２０によって得られる標準時刻情報Ｐ６に基づいて午前午後情報を含む２４時間周期の計時情報Ｐ１０を計時する計時手段３２と、該計時手段３２の計時情報Ｐ１０を修正する入力手段５と、前記計時手段３２からの計時情報Ｐ１０に基づいて１２時間周期で時刻を表示する表示部３と、外部の光を検出するソーラセル２３と、該ソーラセル２３からの出力に応じて前記計時手段３２の午前午後情報を決定する午前午後決定手段３３とを備える構成とした。【選択図】      図２
2005337880.tif 000002
【特許請求の範囲】
【請求項１】
標準時刻情報を含む標準電波を受信する受信手段と、該受信手段からの標準時刻情報に基づいて午前午後情報を含む２４時間周期の計時情報を計時する計時手段と、該計時手段の計時情報を修正する入力手段と、前記計時手段からの計時情報に基づいて１２時間周期で時刻を表示する表示手段と、外部からの光を検出する光検出手段と、該光検出手段からの出力に応じて前記計時手段の午前午後情報を決定する午前午後決定手段とを備えることを特徴とする電波修正時計。
【請求項２】
前記午前午後決定手段は、前記光検出手段による光の検出時間数によって前記午前午後情報を決定することを特徴とする請求項１記載の電波修正時計。
【請求項３】
前記午前午後決定手段は、前記計時手段の計時情報の特定時刻範囲内での前記光検出手段による光の検出時間数によって前記午前午後情報を決定することを特徴とする請求項１記載の電波修正時計。
【請求項４】
前記計時手段の計時情報の特定時刻範囲は０時から４時の範囲と、１２時から１６時の範囲であることを特徴とする請求項３記載の電波修正時計。
【請求項５】
前記午前午後決定手段は、前記光検出手段による光の検出量の強さによって、前記午前午後情報を決定することを特徴とする請求項１記載の電波修正時計。
【請求項６】
前記午前午後決定手段は、前記光検出手段によって所定の時間内で午前午後情報の判定が出来ないときに、前記光検出手段によって外部の光が大きく変化するまで、午前午後決定動作を停止することを特徴とする請求項１乃至５何れかに記載の電波修正時計。
【請求項７】
前記午前午後決定手段は、前記光検出手段によって所定の時間内で午前午後情報の判定が出来ないときに、前記計時手段が前記入力手段によって時刻修正された時刻に応じて前記午前午後情報を決定することを特徴とする請求項１記載の電波修正時計。
【請求項８】
前記標準電波を受信する受信手段が標準電波の受信に成功した場合は、前記午前午後決定手段は動作を停止することを特徴とする請求項１乃至７何れかに記載の電波修正時計。
【請求項９】
標準時刻情報を含む標準電波を受信する受信手段と、該受信手段からの標準時刻情報に基づいて２４時間周期の計時情報を計時する計時手段と、該計時手段の計時情報を修正する入力手段と、前記計時手段からの計時情報に基づいて１２時間周期で時刻を表示する表示手段と、外部からの光を検出する光検出手段と、該光検出手段からの出力に応じて前記受信手段を制御する受信制御手段とを備え、該受信制御手段は、前記光検出手段による光の検出が所定の時間以上に検出されない場合に、前記受信手段を制御して前記標準電波の受信を行うことを特徴とする電波修正時計。
【請求項１０】
標準時刻情報を含む標準電波を受信する受信手段と、該受信手段からの標準時刻情報に基づいて２４時間周期の計時情報を計時する計時手段と、該計時手段の計時情報を修正する入力手段と、前記計時手段からの計時情報に基づいて１２時間周期で時刻を表示する表示手段と、外部からの光を検出する光検出手段と、前記計時手段からの計時情報に基づいて所定の定時受信を実行するように前記受信手段を制御する受信制御手段とを備え、前記受信制御手段は、前記定時受信の時刻より前の所定の時間範囲内での前記光検出手段による光の検出の有無によって前記標準電波の受信開始を決定することを特徴とする電波修正時計。
【請求項１１】
前記光検出手段はソーラセルであることを特徴とする請求項１乃至１０何れかに記載の電波修正時計。
【請求項１２】
標準時刻情報を含む標準電波を受信する受信工程と、該受信工程からの標準時刻情報に基づいて午前午後情報を含む２４時間周期の計時情報を計時する計時工程と、該計時工程による計時情報を修正する入力工程と、前記計時手段からの計時情報に基づいて１２時間周期で時刻を表示する表示工程と、外部からの光を検出する光検出工程と、該光検出工程からの出力に応じて前記計時工程の午前午後情報を決定する午前午後決定工程とを備えることを特徴とする電波修正時計の制御方法。
【発明の詳細な説明】
【技術分野】
【０００１】
本発明は時刻情報を含む標準電波を受信し、受信した時刻情報に基づいて時刻を自動修正する電波修正時計に関し、特に午前午後情報の自動判定機能を備えた電波修正時計及びその制御方法に関するものである。
【背景技術】
【０００２】
従来より時刻情報を含む標準電波を小型アンテナで受信し、時刻修正を自動的に行う電波修正時計は、アンテナの小型高性能化、受信装置の低消費電力化、コストダウン等の技術開発が進み、製品化が盛んに行われている。１２時間表示の電波修正時計において、定時受信は１日２回で午前と午後の同時刻に行なう構成としている（特許文献１参照）。但し、１日２回の定時受信は電波修正時計、特に電波修正ウォッチにとって電力の消費が大きく負担となっていた。更に、これらの電波修正時計は、受信環境として深夜より昼間の方が電波ノイズが多いことから昼間の時間帯の定時受信は正確に受信できないことが多く、また、受信動作中は自己ノイズとなる指針駆動を停止、または、通常駆動と異なる駆動を行う等により利用頻度の少ない深夜が適している理由から、定時受信の受信開始時刻は深夜２時から４時あたりに設定されることが好ましく、深夜の定時受信が有効である。
【０００３】
しかし、使用者が電波修正時計を購入して最初に手動で時刻修正を行う場合や、電池交換後、手動で時刻修正を行う場合や、また、使用者が海外から戻って時差修正を手動で行う場合等に於いては、時刻を表示する表示部はアナログ表示の１２時間周期の表示であることが多いので、午前午後の情報を入力することが困難である。例えば、電波修正時計の使用者が１２時間制のアナログ表示部を見ながらリューズ等を操作して手動で午前１０時に時刻修正したつもりでも、電波修正時計の内部情報は午後１０時ある可能性がある。このような場合、電波修正時計の内部情報は実際の時刻に対して１２時間狂い、午前と午後が逆に設定されることになる。この結果、例えば電波修正時計が午前２時に標準電波の受信動作を開始しようとすると、実はその時刻は午後２時であり、受信環境の悪い中での受信となるので標準電波を受信出来ない状態が継続する危険性がある。
【０００４】
このような問題を解決するために、本出願人によって出願された特願２００４−１１７９３６号公報にて、時刻修正、又は時差修正の各モードに於いて表示手段を用いて午前午後表示を行い、外部入力手段を操作することによって午前と午後を切り替えるように構成された電波修正時計が提案されている。この電波修正時計によれば、時刻修正、又は時差修正の各モードに於いて、午前午後の内部情報を表示手段（例えば、秒針等）を用いて午前午後表示することが可能であり、また、外部入力手段によって午前午後の内部情報を切り替えることが出来るので、１２時間制のアナログ表示方式の電波修正時計であっても、正確に午前午後修正が可能となる。
【０００５】
【特許文献１】特開２００１−４２０６４号公報（第６頁、第８図）
【発明の開示】
【発明が解決しようとする課題】
【０００６】
しかしながら、上記提案は、電波修正時計の使用者が時刻修正や時差修正の操作に加えて、午前午後の修正も手動で行わなければならず、修正操作が複雑となり煩わしいという問題がある。また、午前午後の修正操作を手動で行うことにより修正ミスも想定され、この場合、受信環境の悪い昼間に受信動作を実行することになり、電波修正時計としての
信頼性を低下させる危険性も含んでいる。
【０００７】
本発明の目的は上記課題を解決し、時刻の午前と午後を自動的に決定することにより、電波修正時計の使用者は、午前午後を意識することなく時刻修正や時差修正が可能となり、操作性に優れ、また、標準電波の受信開始を常に深夜に設定出来る信頼性の高い電波修正時計及びその制御方法を提供することである。
【課題を解決するための手段】
【０００８】
上記課題を解決するために、本発明の電波修正時計及びその制御方法は、下記記載の構成と方法を採用する。
【０００９】
本発明の電波修正時計は、標準時刻情報を含む標準電波を受信する受信手段と、該受信手段からの標準時刻情報に基づいて午前午後情報を含む２４時間周期の計時情報を計時する計時手段と、該計時手段の計時情報を修正する入力手段と、前記計時手段からの計時情報に基づいて１２時間周期で時刻を表示する表示手段と、外部からの光を検出する光検出手段と、該光検出手段からの出力に応じて前記計時手段の午前午後情報を決定する午前午後決定手段とを備えることを特徴とする。
【００１０】
本発明の電波修正時計により、光検出手段からの出力に応じて午前午後情報を自動的に決定する午前午後決定手段を備えているので、使用者は午前午後を意識する必要なく時刻修正や時差修正が可能となり、操作性に優れた電波修正時計を実現出来る。
【００１１】
また、前記午前午後決定手段は、前記光検出手段による光の検出時間数によって前記午前午後情報を決定することを特徴とする。
【００１２】
これにより、午前午後決定手段は光の検出時間数が多い時間帯を昼間、光の検出時間数が少ない時間帯を夜間と想定して時刻の午前と午後を判定出来るので、標準電波の受信を常に深夜に行うことが可能となり、受信成功率が高く信頼性に優れた電波修正時計を提供出来る。
【００１３】
また、前記午前午後決定手段は、前記計時手段の計時情報の特定時刻範囲内での前記光検出手段による光の検出時間によって前記午前午後情報を決定することを特徴とする。
【００１４】
これにより、午前午後決定手段は、特定時刻範囲内での光の検出時間によって午前午後情報を決定するので、効率良く短時間に時刻の午前と午後を判定することが出来る。
【００１５】
また、前記計時手段の計時情報の特定時刻範囲は０時から４時の範囲と、１２時から１６時の範囲であることを特徴とする。
【００１６】
これにより、午前午後決定手段は、一般的な使用者の生活規則を考慮して昼間と夜間の違いが最もはっきりと区別出来るように、特定時刻範囲を０時から４時と１２時から１６時に定めたことにより、短時間で、且つ、高精度に時刻の午前と午後を判定することが出来る。
【００１７】
また、前記午前午後決定手段は、前記光検出手段による光の検出量の強さによって、前記午前午後情報を決定することを特徴とする。
【００１８】
これにより、前記午前午後決定手段は、光検出手段による光の検出量の強さによって午前午後情報を決定するので、例えば、光検出手段が太陽光の強い光を検出出来た場合は、直ちに検出時刻が昼間の時間帯であることを想定して、短時間に、且つ、確実に時刻の
午前と午後を判定することが出来る。
【００１９】
また、前記午前午後決定手段は、前記光検出手段によって所定の時間内で午前午後情報の判定が出来ないときに、前記光検出手段によって外部の光が大きく変化するまで、午前午後決定動作を停止することを特徴とする。
【００２０】
これにより、電波修正時計がケース等に保管され光検出手段によって外部の光が検出されない状態が続いたときは、再び光が検出されるまで午前午後決定手段の動作を停止することで、午前午後情報の誤判定の可能性を削除し、また、午前午後情報が不確定な中での受信動作を停止出来るので、電波修正時計の信頼性を向上させることが出来る。また、電波修正時計が長時間明るい室内等に置かれて継続的に光検出されることで午前午後情報の判定が出来ないときは、外部の光が検出されなくなる等、検出された光が大きく変化するまで午前午後決定手段の動作を停止することで、午前午後情報の誤判定の可能性を削除し、また、午前午後情報が不確定な中での受信動作を停止出来るので、電波修正時計の信頼性を向上させることが出来る。
【００２１】
また、前記午前午後決定手段は、前記光検出手段によって所定の時間内で午前午後情報の判定が出来ないときに、前記計時手段が前記入力手段によって時刻修正された時刻に応じて前記午前午後情報を決定することを特徴とする。
【００２２】
これにより、前記午前午後決定手段は、使用者の生活規則を想定して使用者によって時刻修正された時刻に応じて午前午後情報を決定するので、光検出手段による光の検出が出来ないときに、午前午後情報を決定する補助的手段として有効である。
【００２３】
また、前記標準電波を受信する受信手段が標準電波の受信に成功した場合は、前記午前午後決定手段は動作を停止することを特徴とする。
【００２４】
これにより、受信手段によって標準電波の受信が成功したならば、標準電波の時刻情報から確実に午前午後情報を取得することが出来るので、午前午後決定手段の動作を停止することにより、午前午後情報の誤判定の可能性を削除し電波修正時計の信頼性を向上させることが出来る。
【００２５】
本発明の電波修正時計は、標準時刻情報を含む標準電波を受信する受信手段と、該受信手段からの標準時刻情報に基づいて２４時間周期の計時情報を計時する計時手段と、該計時手段の計時情報を修正する入力手段と、前記計時手段からの計時情報に基づいて１２時間周期で時刻を表示する表示手段と、外部からの光を検出する光検出手段と、該光検出手段からの出力に応じて前記受信手段を制御する受信制御手段とを備え、該受信制御手段は、前記光検出手段による光の検出が所定の時間以上に検出されない場合に、前記受信手段を制御して前記標準電波の受信を行うことを特徴とする。
【００２６】
本発明の電波修正時計により、光検出手段による光の検出が所定の経過時間以上に検出されない場合は、夜間であると想定して受信手段によって標準電波の受信を行うので、時計の使用頻度が少なく、また、受信環境の良い夜間に標準電波の受信を行うことが出来、使い易く信頼性に優れた電波修正時計を提供出来る。
【００２７】
本発明の電波修正時計は、標準時刻情報を含む標準電波を受信する受信手段と、該受信手段からの標準時刻情報に基づいて２４時間周期の計時情報を計時する計時手段と、該計時手段の計時情報を修正する入力手段と、前記計時手段からの計時情報に基づいて１２時間周期で時刻を表示する表示手段と、外部からの光を検出する光検出手段と、前記計時手段からの計時情報に基づいて所定の定時受信を実行するように前記受信手段を制御する
受信制御手段とを備え、前記受信制御手段は、前記定時受信の時刻より前の所定の時間範囲内での前記光検出手段による光の検出の有無によって前記標準電波の受信開始を決定することを特徴とする。
【００２８】
本発明の電波修正時計により、定時受信の時刻より前の所定の時間範囲内での光検出手段による光の検出の有無によって受信開始動作を決定するので、定時受信時刻が昼間であるか夜間であるかの想定が可能となり、受信環境の良い夜間の定時時刻に標準電波の受信開始を選択出来、信頼性に優れた電波修正時計を提供出来る。
【００２９】
また、前記光検出手段はソーラセルであることを特徴とする。
【００３０】
これにより、光検出手段は時計の電源であるソーラセルを用いるので、新たに光検出素子等を配置する必要が無く、電波修正時計の小型化やコストダウンを実現しつつ、午前午後情報の判定が可能となる。
【００３１】
本発明の電波修正時計の制御方法は、標準時刻情報を含む標準電波を受信する受信工程と、該受信工程からの標準時刻情報に基づいて午前午後情報を含む２４時間周期の計時情報を計時する計時工程と、該計時工程による計時情報を修正する入力工程と、前記計時手段からの計時情報に基づいて１２時間周期で時刻を表示する表示工程と、外部からの光を検出する光検出工程と、該光検出工程からの出力に応じて前記計時工程の午前午後情報を決定する午前午後決定工程とを備えることを特徴とする。
【００３２】
本発明の電波修正時計の制御方法により、光検出工程からの出力に応じて午前午後情報を自動的に決定する午前午後決定工程を備えているので、使用者は午前午後を意識する必要なく時刻修正や時差修正が可能となり、操作性に優れた電波修正時計を実現出来る。
【発明の効果】
【００３３】
上記の如く本発明によれば、光検出手段からの出力に基づいて時刻の午前と午後を自動的に決定するので、使用者は午前午後を意識する必要なく時刻修正や時差修正が可能となり、操作性に優れた電波修正時計を提供することが出来る。また、午前午後情報を自動的に決定出来ることにより、受信環境の良い深夜に標準電波の受信を実施することが可能となり、受信性能に優れた信頼性の高い電波修正時計を提供出来る。
【発明を実施するための最良の形態】
【００３４】
以下図面により本発明の実施の形態を詳述する。図１は本発明の電波修正時計と標準電波を送信する送信局との関係を示す説明図である。図２は本発明の実施例１の電波修正時計の回路ブロック図である。図３は本発明の実施例１の計時手段の内部構成図とその動作表である。図４は本発明の実施例１の光検出時間数での午前午後判定動作を説明するフローチャートである。図５は本発明の実施例１の光検出時間数での午前午後判定動作を説明する説明図である。図６は本発明の実施例１の特定時刻範囲での光検出による午前午後判定動作を説明するフローチャートである。図７は本発明の実施例１の特定時刻範囲での光検出による午前午後判定動作を説明する説明図である。図８は本発明の実施例１の光検出量の強さによる午前午後判定動作を説明するフローチャートである。図９は本発明の実施例１の時刻修正された時刻に応じて午前午後判定する動作を説明するフローチャートである。図１０は本発明の実施例２の電波修正時計の回路ブロック図である。図１１は本発明の実施例２の所定時間以上に光検出されない場合の受信開始動作を説明するフローチャートである。図１２は本発明の実施例２の定時受信時刻前の所定時間範囲での光検出の有無による受信開始動作を説明するフローチャートである。
【実施例１】
【００３５】
まず、図１に基づいて本発明の電波修正時計と標準電波を送信する送信局の概略を説明する。図１に於いて、１は本発明の１２時間制アナログ表示方式の電波修正時計である。２は金属等によって成る外装であり、３は１２時間周期で時刻を表示する表示手段としての表示部であり、秒針３ａ、分針３ｂ、時針３ｃ、及び日付を表示する日付表示部３ｄによって構成される。４は超小型の受信アンテナであり、外装２の内部の１２時方向に配置されているが、この位置に限定されるものではなく、例えば９時方向に配置されてもよい。５ａは入力手段の一部に相当する時刻や日付を修正するリューズであり、複数の電気的なスイッチ（図示せず）と連動している。５ｂと５ｃは入力手段の一部に相当する操作ボタンであり、それぞれ電気的なスイッチ（図示せず）と連動している。６は使用者（図示せず）の腕に装着するためのバンドである。
【００３６】
１０は標準時刻情報を含む標準電波を送信する送信局である。１１は標準電波を放射する送信アンテナであり、１２は標準時刻を高精度で計時する原子時計である。１３は送信アンテナ１１から送信される標準時刻情報を搬送する標準電波である。該標準電波１３は通常数十ＫＨｚの長波によってなり、半径９００Ｋｍ〜１０００Ｋｍ程度の範囲で受信することが出来る。尚、標準電波１３の送信周波数や時刻情報フォーマットは、各国又は各地域の送信局でそれぞれ個別に設定されている。ここで、電波修正時計１で標準電波１３を受信するには、好ましくは電波修正時計１の受信アンテナ４が配置されている位置を、送信局１０がある方向に向け、受信開始ボタン（例えば操作ボタン５ｃ）を押下する。これにより、電波修正時計１は強制受信動作を開始し、標準電波１３を受信する。次に電波修正時計１は受信した標準電波１３の時刻情報フォーマットに対応する解読アルゴリズムを用いて解読し、秒分時や日付等の時刻情報と必要に応じて閏年やサマータイムの有無データ等を取得し、取得した時刻情報を計時して表示部３によって時刻情報や日付を表示する。尚、標準電波の受信は深夜などのノイズが少なく受信環境の良い時刻（例えば午前２〜４時の間など）に定期的に実行させることが好ましい。
【００３７】
次に図２に基づいて本発明の実施例１としての電波修正時計１の回路構成の概略を説明する。２０は送信局からの標準電波を選択的に受信する受信手段としての受信部である。該受信部２０は標準電波を受信する前記受信アンテナ４と、該受信アンテナ４と同調回路を形成する同調手段２０ａと、受信ＩＣ２１等によって構成される。同調手段２０ａは、図示しないが内部に複数の同調用コンデンサを有し、該複数のコンデンサを受信アンテナ４に対して切り替えることにより、同調回路の同調周波数を変化させて標準電波を選択的に受信し、同調信号Ｐ１を出力する。
【００３８】
受信ＩＣ２１は図示しないが内部に増幅回路、フィルタ回路、デコード回路等を有し、前記同調信号Ｐ１を入力してデジタル信号に変換された復調信号Ｐ２を出力する。３０は電波修正時計１の全体を制御するマイクロコンピュータ（以下マイコンと略記）であり、制御手段３１、計時手段３２、午前午後決定手段３３、充電制御手段３４、ＲＡＭ３５、ＲＯＭ３６等によって構成される。５は入力手段であり、前述したリューズ５ａ、操作ボタン５ｂ、５ｃによって構成され、入力信号Ｐ３を出力する。２２は水晶振動子（図示せず）を内蔵する基準信号源であり、基準信号Ｐ４を出力する。２３は光検出手段としてのソーラセルであり、外部光を入力して発電しソーラ電源Ｐ５をマイコン３０の充電制御手段３４と午前午後決定手段３３に供給する。２４は二次電池であり、プラス電源Ｖｄｄとマイナス電源Ｖｓｓが共に前記充電制御手段３４に接続されて、ソーラセル２３からの電力を充電し、電波修正時計１の電源として機能する。
【００３９】
次に、マイコン３０の内部構成の詳細を説明する。制御手段３１は復調信号Ｐ２を入力して内部に記憶している解読アルゴリズムによって時刻情報フォーマットを解読し、標準時刻情報Ｐ６を出力する。また、制御手段３１は入力手段５からの入力信号Ｐ３を入力し、使用者の操作によって時刻を修正する時刻修正情報Ｐ７を出力する。更に制御手段３
１は、受信する標準電波を切り替える切替信号Ｐ８を出力する。計時手段３２は基準信号Ｐ４を入力して時刻を計時し、時分秒及び日付情報を含む計時情報Ｐ１０を出力する。また、該計時手段３２は前記標準時刻情報Ｐ６の入力によって内部で計時している計時情報Ｐ１０を標準時刻に修正出来、また、前記時刻修正情報Ｐ７を入力して計時情報Ｐ１０を修正することが出来る。
【００４０】
また、計時手段３２の出力である計時情報Ｐ１０は表示部３に入力され、表示部３は計時情報Ｐ１０に基づいて時分秒の時刻を１２時間制で表示し、また、日付等を表示する。午前午後決定手段３３は前記計時手段３２からの出力である計時情報Ｐ１０と、ソーラセル２３の出力であるソーラ電源Ｐ５と、入力信号Ｐ３を入力して午前午後修正信号Ｐ１２を出力する。該午前午後修正信号Ｐ１２は前記計時手段３２に入力され、内部の午前午後情報を修正する。尚、午前午後決定手段３３の内部にはアナログ量のソーラ電源Ｐ５をデジタル情報に変換するアナログデジタル変換器３３ａ（以下Ａ／Ｄ３３ａと略記）が備えられている。充電制御手段３４はソーラ電源Ｐ５を入力して二次電池２４の充電制御を行い、二次電池２４への充電電流を監視して過充電防止等の制御を実施する。ＲＡＭ３５は各制御情報を一時的に記憶するマイコン３０の記憶手段として機能する。ＲＯＭ３６はマイコン３０の各制御手段のファームウエアを記憶する記憶回路であり、マスクメモリ、又はフラッシュメモリ等によって構成される。
【００４１】
次に図３によって計時手段３２の内部構成と動作例を説明する。計時手段３２は秒情報を計時する秒計時回路３２ａ、分情報を計時する分計時回路３２ｂ、時情報を計時する時計時回路３２ｃ、午前午後情報を計時する午前午後計時回路３２ｄ、日情報を計時するカレンダ回路３２ｅによって構成される。ここで、時計時回路３２ｃは図３の動作表に示すように、４ビットで構成されて論理“００００”から論理“１０１１”までの１２時間周期で計時が実行される。また、午前午後計時回路３２ｄは１ビットで構成されて、論理“０”が午前を表し、論理“１”が午後を表す。この結果、時計時回路３２ｃと午前午後計時回路３２ｄによって２４時間周期で時情報を計時することが出来る。
【００４２】
次に本発明の実施例１の要点である午前午後情報を自動的に決定する複数の動作例をフローチャート等を用いて説明する。まず動作例１として、ソーラセル２３の光検出時間数によって午前午後情報を決定する動作を説明する。説明の前提条件として、使用者が電波修正時計１を購入した直後であり、該電波修正時計１は標準電波を受信しておらず、よって、マイコン３０の計時手段３２は正確な時刻を計時していないものとする。ここで、使用者は入力手段５のリューズ５ａ等を操作して、表示部３を確認しながら手動で暫定的に時刻を合わせることが出来るが、表示部３は前述した如く１２時間制の表示形態であるために、午前と午後を合わせることが出来ない。
【００４３】
また、計時手段３２の内部にある前記午前午後計時回路３２ｄは、マイコン３０の初期化によって午前、又は午後に設定することが出来るが、表示部３が１２時間制であるために決定された午前午後情報を使用者は把握することが出来ない。すなわち、電波修正時計１の購入直後に於いて使用者は、手動操作によって時刻合わせをすることは出来るが、電波修正時計１の内部で午前午後情報がどちらに設定されているかを知ることが出来ないし、また、その午前午後情報を修正することも出来ない。以上の状況を前提条件として以下説明する。
【００４４】
図４のフローチャートに於いて、マイコン３０の午前午後決定手段３３は、計時情報Ｐ１０を入力して１分が経過したかどうかを判定する（ＳＴ１）。ここで、肯定判定であれば次のステップＳＴ２へ進み、否定判定であればステップＳＴ１へ戻り、１分が経過するまで待機状態を保持する。尚、待機時間は１分に限定されず、状況に応じて任意に設定して良い。
【００４５】
次に午前午後決定手段３３は、ステップＳＴ１で肯定判定がなされたならば、ソーラセル２３からのソーラ電源Ｐ５を入力して内部のＡ／Ｄ３３ａによってデジタル情報に変換し、光検出情報として内部に記憶する（ＳＴ２）。
【００４６】
次に午前午後決定手段３３は、ステップＳＴ２で取得した光検出情報を検証し、所定の光が検出されたかどうかを判定する（ＳＴ３）。ここで、肯定判定であれば次のステップＳＴ４へ進み、否定判定であればステップＳＴ５へ進む。尚、光検出の有無を決定する光検出レベルは任意に定めることが出来るが、電波修正時計１が室内に於かれることを前提として、室内光を検出出来るレベルであることが好ましい。
【００４７】
次に午前午後決定手段３３は、ステップＳＴ３で肯定判定がなされたならば、計時情報Ｐ１０に基づいて所定の光が検出された時刻に応じてＲＡＭ３５に検出回数を記憶する（ＳＴ４）。例えば、所定の光が６０分間連続して検出されたとすると、光の検出は１分毎に実行されるのでＲＡＭ３５には数値６０が記憶され、この数値６０は光が検出された時間数（すなわち６０分）を表すことになる。尚、ＲＡＭ３５への記憶方法の詳細は後述する。
【００４８】
次に午前午後決定手段３３は、光検出を開始してから２４時間が経過したかどうかを内部のカウンタ（図示せず）によって判定する（ＳＴ５）。ここで、肯定判定であれば次のステップＳＴ６へ進み、否定判定であればステップＳＴ１へ戻る。
【００４９】
ここで、ステップＳＴ４とステップＳＴ５の動作の詳細を図５を基に説明する。図５は計時手段３２の時計時回路３２ｃが計時する１２時間周期の時刻をアナログ時計の表示に例えて示しており、その時刻の推移は１２時、１時、２時、３時、４時、５時、６時、７時、８時、９時、１０時、１１時、１２時を繰り返す。また、計時手段３２の午前午後計時回路３２ｄが記憶する午前午後情報は前述した如く論理“０”が午前を表し、論理“１”が午後を表すものとする。すなわち、図５に於いて、午前午後情報が論理“０”で１１時５９分から１２時００分となった場合、午前午後情報は論理“１”となり、午前から午後に推移する。また、午前午後情報が論理“１”で１１時５９分から１２時００分となった場合、午前午後情報は論理“０”となり、午後から午前に推移する。この結果、図５の左側の１２時間が午前、右側の１２時間が午後となり、合計２４時間の時間推移を表している。
【００５０】
ここで、ステップＳＴ４に於いて、所定の光が検出された時刻に応じてＲＡＭ３５に検出回数が加算され記憶されるが、記憶される検出回数は検出された時刻に応じて１２時間の範囲を持ったＡグループとＢグループに分けられて記憶される。すなわち、Ａグループは６時００分から１２時間後の５時５９分の間に光が検出された場合に記憶されるグループ（図５で矢印Ａの範囲）あり、Ｂグループは他方の６時００分から１２時間後の５時５９分の間に光が検出された場合に記憶されるグループ（図５で矢印Ｂの範囲）である。そして、ステップＳＴ１からステップＳＴ５が実行されることにより、２４時間の間、光検出が実行され、所定の光が検出された時刻に応じて、その検出回数がＡグループとＢグループに分けられて記憶される。
【００５１】
例えば、Ａグループに記憶された検出回数が２００であり、Ｂグループに記憶された検出回数が３０であったとする。この場合、Ａグループの時間帯の方が長い時間（すなわち２００分）光を検出したことになり、このデータからＡグループの時間帯が昼間であり、Ｂグループの時間帯が夜間であると想定することが出来る。ここで、Ａグループの時間帯が昼間であるならば、Ａグループの時間帯に位置する１２時（図５の図面上、上側にある１２時）が午後１２時であり、Ｂグループの時間帯に位置する１２時（図５の図面上、
下側にある１２時）が午前１２時であると判定出来る。
【００５２】
また逆に、Ａグループに記憶された検出回数が３０であり、Ｂグループに記憶された検出回数が２００であったとする。この場合、Ｂグループの時間帯の方が長い時間（すなわち２００分）光を検出したことになり、このデータからＢグループの時間帯が昼間であり、Ａグループの時間帯が夜間であると想定することが出来る。ここで、Ｂグループの時間帯が昼間であるならば、Ｂグループの時間帯に位置する１２時（図５の図面上、下側にある１２時）が午後１２時であり、Ａグループの時間帯に位置する１２時（図５の図面上、上側にある１２時）が午前１２時であると判定出来る。以上のように、ＡグループとＢグループに記憶される光の検出回数、すなわち、光の検出時間数によって午前と午後を決定することが可能であり、図４のステップＳＴ６以降の動作は、上記の判定基準に基づいて実行される。
【００５３】
次に、ステップＳＴ６以降の動作フローを説明する。午前午後決定手段３３は、ＲＡＭ３５に記憶されたＡグループとＢグループの記憶内容をチェックし、所定の光が検出されたかどうかを判定する（ＳＴ６）。ここで、肯定判定（Ａグループ又はＢグループで光が検出された）であれば次のステップＳＴ７へ進み、否定判定（Ａグループ、Ｂグループ共に光が検出されない、又は検出回数が非常に少ない）であれば、電波修正時計は使用されておらずケース等に保管されていることが想定されるので、本動作フローを終了し他の処理に進むことが好ましい。尚、他の処理としては後述する実施例１の動作例４がその一例であるが、他に所定の時間が経過してもソーラセル２３によって外部の光が検出されない、又は検出回数が非常に少ないときは午前午後の判定が出来ないので、ソーラセル２３によって外部の光が検出されるまで午前午後決定手段３３は動作を停止し、また、受信部２０による標準電波の受信も午前午後決定手段３３が動作を再開して午前午後情報が決定されるまで、受信動作を停止するようにしても良い。この午前午後決定手段３３の動作を停止させることにより、午前午後情報の誤判定の可能性を削除し、また、午前午後情報が不確定な中での受信動作を停止出来るので、電波修正時計の信頼性向上に役立つ。また、ステップＳＴ６での判定は、光が検出されないだけでなく、長時間継続的に光が検出されるときも午前午後の判定が出来ないので否定判定とし、光が検出されなくなる等、検出された光が大きく変化するまで午前午後決定手段３３の動作を停止して良い。
【００５４】
次に午前午後決定手段３３は、ステップＳＴ６で肯定判定がなされたならば、ＲＡＭ３５に記憶されたＡグループの検出回数とＢグループの検出回数を比較判定する。ここで、Ａグループの検出回数の方がＢグループの検出回数より多い場合は肯定判定とし、逆に少ない場合は否定判定とする（ＳＴ７）。肯定判定であればステップＳＴ８へ進み、否定判定であればステップＳＴ９へ進む。尚、ＡグループとＢグループの検出回数が等しいか、ほぼ等しい場合は、午前と午後の判定が困難であるのでステップＳＴ６での否定判定と同様に他の処理へ進むことが好ましい。
【００５５】
次に午前午後決定手段３３は、ステップＳＴ７で肯定判定がなされたならば、Ａグループの時間帯が昼間であると判定して現在の時刻に基づいて午前午後計時回路３２ｄの午前午後情報を決定する（ＳＴ８）。例えば、判定を実施する現在時刻が図５で示すＡグループの時間帯の４時であるとするならば、現在時刻は午後４時であるので、午前午後決定手段３３は午前午後修正信号Ｐ１２を出力して午前午後計時回路３２ｄの午前午後情報を論理“１”にセットし、現在時刻が午後であることを確定する。また、現在時刻が図５で示すＡグループの時間帯の９時であるとするならば、現在時刻は午前９時であるので、午前午後決定手段３３は午前午後修正信号Ｐ１２を出力して午前午後計時回路３２ｄの午前午後情報を論理“０”にセットし、現在時刻が午前であることを確定する。尚、午前午後情報の確定により光検出時間数によって午前午後情報を決定する動作フローは終了する。
【００５６】
また、午前午後決定手段３３は、ステップＳＴ７で否定判定がなされたならば、
Ｂグループの時間帯が昼間であると判定して現在の時刻に基づいて午前午後計時回路３２ｄの午前午後情報を決定する（ＳＴ９）。例えば、現在時刻が図５で示すＢグループの時間帯の９時であるとするならば、現在時刻は午前９時であるので、午前午後決定手段３３は午前午後修正信号Ｐ１２を出力して午前午後計時回路３２ｄの午前午後情報を論理“０”にセットし、現在時刻が午前であることを確定する。また、現在時刻が図５で示すＢグループの時間帯の４時であるとするならば、現在時刻は午後４時であるので、午前午後決定手段３３は午前午後修正信号Ｐ１２を出力して午前午後計時回路３２ｄの午前午後情報を論理“１”にセットし、現在時刻が午後であることを確定する。尚、午前午後情報の確定により光検出時間数によって午前午後情報を決定する動作フローは終了する。
【００５７】
以降、計時手段３２は、決定された午前午後情報に基づいて時刻の計時を継続し、表示部３が１２時間制のアナログ表示であって使用者は午前午後を表示部３から読み取ることが出来なくても、電波修正時計の内部では正確に午前午後情報を認識して計時動作を継続する。この結果、電波修正時計の使用者は午前午後を意識する必要なく時刻修正や時差修正が可能となり、操作性に優れた電波修正時計を実現出来る。また、電波修正時計の内部では正確に午前午後情報を把握しているので、受信環境の良い深夜の午前２時や午前４時等の時間帯で標準電波を受信することが可能となり、標準電波の受信成功率が向上し、信頼性の高い電波修正時計を実現出来る。
【００５８】
次に動作例２として、図６のフローチャートに基づいて特定時刻範囲での光検出によって午前午後情報を決定する動作を説明する。尚、前提条件は動作例１と同等である。また、所定の特定時刻範囲は、一例として２４時間制表示で０時から４時と１２時から１６時であるとする。図７は特定時刻範囲を説明する説明図であり、計時手段３２の時計時回路３２ｃと午前午後計時回路３２ｄによって計時される２４時間制の時刻（図３参照）をアナログ時計の表示に例えて示している。図７に於いて、０時００分から１１時５９分の範囲が午前であるので午前午後計時回路３２ｄが記憶する午前午後情報は論理“０”であり、１２時００分から２３時５９分の範囲が午後であるので午前午後情報は論理“１”である。ここで、一方の特定時刻範囲は０時から４時の範囲であって、その領域を矢印Ｃで示すＣグループとし、また、他方の特定時刻範囲は１２時から１６時の範囲であって、その領域を矢印Ｄで示すＤグループとする。
【００５９】
図６のフローチャートに於いて、マイコン３０の午前午後決定手段３３は、計時情報Ｐ１０を入力して現在時刻が所定の特定時刻範囲内であるかを判定する（ＳＴ１０）。肯定判定であれば次のステップＳＴ１１へ進み、否定判定であればステップＳＴ１０を繰り返し待機する。ここで、特定時刻範囲は前述した如く、０時から４時と１２時から１６時である。
【００６０】
次に午前午後決定手段３３は、ステップＳＴ１０で肯定判定がなされたならば、計時情報Ｐ１０を入力して１分が経過したかどうかを判定する（ＳＴ１１）。ここで、肯定判定であれば次のステップＳＴ１２へ進み、否定判定であればステップＳＴ１０へ戻り、１分が経過するまで待機状態を保持する。尚、待機時間は１分に限定されず、状況に応じて任意に設定して良い。
【００６１】
次に午前午後決定手段３３は、ステップＳＴ１１で肯定判定がなされたならば、ソーラセル２３からのソーラ電源Ｐ５を入力して内部のＡ／Ｄ３３ａによってデジタル情報に変換し、光検出情報として内部に記憶する（ＳＴ１２）。
【００６２】
次に午前午後決定手段３３は、ステップＳＴ１２で取得した光検出情報を検証し、所定の光が検出されたかどうかを判定する（ＳＴ１３）。ここで、肯定判定であれば次のス
テップＳＴ１４へ進み、否定判定であればステップＳＴ１０へ戻る。尚、光検出の有無を判定する光検出レベルは任意に定めることが出来るが、室内光を検出出来るレベルであることが好ましい。
【００６３】
次に午前午後決定手段３３は、ステップＳＴ１３で肯定判定がなされたならば、計時情報Ｐ１０に基づいて所定の光が検出された時刻に応じてＲＡＭ３５のＣグループとＤグループにそれぞれの光検出回数を加算し記憶する（ＳＴ１４）。例えば、２４時間制表示で２時に所定の光が検出されたならば、図７で示す如く、２時は特定時刻範囲のＣグループに入るので、ＲＡＭ３５のＣグループの領域に検出回数が＋１加算される。また、２４時間制表示で１５時に所定量の光が検出されたならば、１５時は特定時刻範囲のＤグループに入るので、ＲＡＭ３５のＤグループの領域に検出回数が＋１加算される。尚、特定時刻範囲から外れた時刻に光が検出された場合は、無視され加算処理は行われない。
【００６４】
次に午前午後決定手段３３は、ＲＡＭ３５のＣグループの検出回数（すなわち、検出時間数）を検証し、検出回数が所定数を越えているかどうかを判定する（ＳＴ１５）。肯定判定であればステップＳＴ１６へ進み、否定判定であればステップＳＴ１７へ進む。尚、検出回数を判定する所定数は任意に定めて良く、例えば、１２０（すなわち１２０分）とする。
【００６５】
次に午前午後決定手段３３は、ステップＳＴ１５で肯定判定がなされたならば、Ｃグループの時間帯が昼間であると判定して午前午後修正信号Ｐ１２を出力し、午前午後計時回路３２ｄを修正して午前午後情報を論理“１”にセットする（ＳＴ１６）。この結果、図７で示すＣグループが含まれる図面上左側の１２時間が午後に修正され、右側の１２時間が午前に修正される。尚、ステップＳＴ１６処理後動作例２は終了する。
【００６６】
また、午前午後決定手段３３は、ステップＳＴ１５で否定判定がなされたならば、ＲＡＭ３５のＤグループの検出回数（すなわち、検出時間数）を検証し、検出回数が所定数を越えているかどうかを判定する（ＳＴ１７）。肯定判定であればステップＳＴ１８へ進み、否定判定であればステップＳＴ１０へ戻る。
【００６７】
次に午前午後決定手段３３は、ステップＳＴ１７で肯定判定がなされたならば、Ｄグループの時間帯が昼間であると判定して午前午後計時回路３２ｄの午前午後情報は修正しない。すなわち、図７で示すＤグループが含まれる図面上右側の１２時間が午後であり、左側の１２時間が午前となる。尚、ステップＳＴ１８処理後動作例２は終了する。
【００６８】
以降、計時手段３２は、決定された午前午後情報に基づいて時刻の計時を継続し、表示部３が１２時間制のアナログ表示であって使用者は午前午後を表示部３から読み取ることが出来なくても、電波修正時計の内部では正確に午前午後を認識して計時動作を継続する。この結果、電波修正時計は、受信環境の良い深夜の午前２時や午前４時等の時間帯で標準電波を受信出来るので、標準電波の受信成功率が向上し、信頼性の高い電波修正時計を実現出来る。また、本動作例２は前述の動作例１と比較して、特定時刻範囲内で光の検出回数が所定量を超えることにより、直ちに午前午後情報を判定出来るので、動作例１より短時間に午前午後情報を決定出来、更に使い易く信頼性の高い電波修正時計を提供出来る。
【００６９】
尚、特定時刻範囲は動作例２に於いては、一般的な使用者の生活規則から考慮して、０時から４時と１２時から１６時が昼間と夜間の違いを最もはっきり区別出来ると想定して定めたが、この時刻範囲に限定されるものではない。また、図６のフローチャートでは省略したが、特定時刻範囲での光検出が終了し、且つ、所定の光検出回数が得られなかった場合は、本動作例２を終了させ、他の処理に進むことが好ましい。また、本動作例２に
於いては、ＣグループとＤグループのそれぞれの光検出回数の絶対量で昼間であることを判定したが、この判定方法に限定されず、例えば、ＣグループとＤグループの光検出回数の相対値で昼間と夜間を判定しても良い。
【００７０】
次に動作例３として、図８のフローチャートに基づいて光検出量の強さによって短時間で午前午後情報を決定する動作を説明する。尚、前提条件は動作例１と同等である。図８のフローチャートに於いて、マイコン３０の午前午後決定手段３３は、計時情報Ｐ１０を入力して１分が経過したかどうかを判定する（ＳＴ２０）。ここで、肯定判定であれば次のステップＳＴ２１へ進み、否定判定であればステップＳＴ２０を繰り返して待機する。
【００７１】
次に午前午後決定手段３３は、ステップＳＴ２０で肯定判定がなされたならば、ソーラセル２３からのソーラ電源Ｐ５を入力して内部のＡ／Ｄ３３ａによってデジタル情報に変換し、光検出情報として内部に記憶する（ＳＴ２１）。
【００７２】
次に午前午後決定手段３３は、ステップＳＴ２１で取得した光検出情報を検証し、光検出量の強さが太陽光に準じた所定量を越えているかを判定する（ＳＴ２２）。ここで、肯定判定であれば次のステップＳＴ２３へ進み、否定判定であればステップＳＴ２０に戻る。尚、太陽光は曇った日で１０，０００ルクス程度の強さがあるので、この値を参考に所定量を定めることが好ましいが、状況に応じて所定量は任意に変更して良い。
【００７３】
次に午前午後決定手段３３は、ステップＳＴ２２で肯定判定がなされたならば、光検出量が判定基準値を超えたとして検出回数を＋１加算する（ＳＴ２３）。尚、検出回数の加算は、図５で前述したように、一方の６時００分から１２時間後の５時５９分の間に光が検出された場合をＡグループ、他方の６時００分から１２時間後の５時５９分の間に光が検出された場合をＢグループとして、それぞれＲＡＭ３５にグループ毎の検出回数を加算する。
【００７４】
次に午前午後決定手段３３は、ＲＡＭ３５のＡグループの検出回数を検証し、検出回数が所定数を越えているかどうかを判定する（ＳＴ２４）。肯定判定であればステップＳＴ２５へ進み、否定判定であればステップＳＴ２６へ進む。
【００７５】
次に午前午後決定手段３３は、ステップＳＴ２４で肯定判定がなされたならば、Ａグループの時間帯が昼間であると判定して現在の時刻に基づいて午前午後計時回路３２ｄの午前午後情報を決定する（ＳＴ２５）。例えば、現在時刻が図５で示すＡグループの時間帯の４時であるとするならば、現在時刻は午後４時であるので、午前午後決定手段３３は午前午後修正信号Ｐ１２を出力して午前午後計時回路３２ｄの午前午後情報を論理“１”にセットし、現在時刻が午後であることを確定する。また、現在時刻が図５で示すＡグループの時間帯の９時であるとするならば、現在時刻は午前９時であるので、午前午後決定手段３３は午前午後修正信号Ｐ１２を出力して午前午後計時回路３２ｄの午前午後情報を論理“０”にセットして現在時刻が午前であることを確定する。尚、午前午後情報の確定により光検出量の強さによって午前午後情報を決定する動作フローは終了する。
【００７６】
また、午前午後決定手段３３は、ステップＳＴ２４で否定判定がなされたならば、ＲＡＭ３５のＢグループの検出回数を検証し、検出回数が所定数を越えているかどうかを判定する（ＳＴ２６）。肯定判定であればステップＳＴ２７へ進み、否定判定であればステップＳＴ２０へ戻る。
【００７７】
次に午前午後決定手段３３は、ステップＳＴ２６で肯定判定がなされたならば、Ｂグループの時間帯が昼間であると判定して現在の時刻に基づいて午前午後計時回路３２ｄの
午前午後情報を決定する（ＳＴ２７）。例えば、現在時刻が図５で示すＢグループの時間帯の９時であるとするならば、現在時刻は午前９時であるので、午前午後決定手段３３は午前午後修正信号Ｐ１２を出力して午前午後計時回路３２ｄの午前午後情報を論理“０”にセットして現在時刻が午前であることを確定する。また、現在時刻が図５で示すＢグループの時間帯の４時であるとするならば、現在時刻は午後４時であるので、午前午後決定手段３３は午前午後修正信号Ｐ１２を出力して午前午後計時回路３２ｄの午前午後情報を論理“１”にセットして現在時刻が午後であることを確定する。尚、午前午後情報の確定により光検出量の強さによって午前午後情報を決定する動作フローは終了する。
【００７８】
以降、計時手段３２は、決定された午前午後情報に基づいて時刻計時を継続し、表示部３が１２時間制のアナログ表示であって使用者は午前午後を表示部３から読み取ることが出来なくても、電波修正時計の内部では正確に午前午後を認識して計時動作を継続する。この結果、電波修正時計は、受信環境の良い深夜の午前２時や午前４時等の時間帯で標準電波を受信出来るので、標準電波の受信成功率が向上し、信頼性の高い電波修正時計を実現出来る。また、本動作例３は前述の動作例１、動作例２と比較して、光検出量が太陽光に準じた検出量であるかどうかを判定するので、例えば、ステップＳＴ２４やステップＳＴ２６での検出回数の所定数を１回と設定しても良い。すなわち、電波修正時計１に太陽光が短時間照射されるだけで電波修正時計１は、現在の時間帯が昼間であると直ちに認識することが出来る。この結果、極めて短時間に午前午後情報を判定出来るので、更に使い易い信頼性の高い電波修正時計を提供出来る。
【００７９】
尚、前述のステップＳＴ２４とステップＳＴ２６の検出回数の所定数は、状況に応じて任意に定めて良い。また、図８のフローチャートでは省略したが、一定時間以上経過しても太陽光に準じた光検出量が検出されないときは、電波修正時計１が長時間室内等に置かれていることが想定されるので、本動作フローを終了させ他の処理に進むことが好ましい。以上、光検出によって午前午後情報を決定する動作例を３通り説明したが、これらの動作は単独で実行されても良く、また、マルチタスクとして同時に実行されても良い。また、上記３通りの動作例は、これに限定されるものではなく、光検出手段による午前午後情報の決定方法は様々な方法が考えられ、広く応用することが可能である。
【００８０】
次に、光検出手段であるソーラセル２３によって午前午後情報の判定が出来ないときに、計時手段３２が入力手段５によって時刻修正された時刻に応じて午前午後情報を決定する方法を動作例４として図９のフローチャートに基づいて説明する。すなわち、本動作例４は、例えば、前述した動作例１（図４参照）のステップＳＴ６で否定判定された場合の他の処理の一例である。図９に於いて、午前午後決定手段３３は、所定の時間内でソーラセル２３によって午前午後情報の判定が出来ないとき、使用者が入力手段５によって時刻修正したかどうかを判定する（ＳＴ３０）。
【００８１】
ここで、使用者が入力手段５によって時刻修正する場合は、使用者が電波修正時計を購入した直後であって手動操作で時刻合わせをする場合や、使用者が海外から帰国後、時差修正のために手動操作で時刻修正する場合等が考えられる。ここで、肯定判定（時刻修正が行われた）ならばステップＳＴ３１へ進み、否定判定ならば、午前午後情報の判定が出来ないので他の処理へ進む。尚、午前午後決定手段３３によるステップＳＴ３０の判定は前述の図２で示すように、午前午後決定手段３３は入力手段５からの入力信号Ｐ３と計時手段３２からの計時情報Ｐ１０を入力しており、この二つの情報によって時刻修正が行われた時刻（午前午後情報を含む）を把握し内部に記憶していることにより実行される。
【００８２】
次に午前午後決定手段３３は、ステップＳＴ３０で肯定判定がなされたならば、時刻修正された時刻が一例として７時００分から１１時５９分の時刻範囲であるかどうかを判定する（ＳＴ３１）。ここで、肯定判定ならばステップＳＴ３２へ進み、否定判定ならば
ステップＳＴ３４へ進む。
【００８３】
次に午前午後決定手段３３は、ステップＳＴ３１で肯定判定がなされたならば、修正された時刻は使用者の生活規則から考慮して午前であると判定し、時刻修正されたときに記憶された午前午後計時回路３３ｄの午前午後情報が論理“１”（すなわち午後）であるかどうかを判定する（ＳＴ３２）。ここで、肯定判定であればステップＳＴ３３へ進み、否定判定であれば午前午後情報を修正する必要がないので、動作例４の動作フローは終了する。
【００８４】
次に午前午後決定手段３３は、ステップＳＴ３２で肯定判定がなされたならば、時刻修正された時刻が午前であると判定したのに、記憶されている午前午後情報は論理“１”（すなわち午後）であるので、午前午後修正信号Ｐ１２を出力して午前午後計時回路３３ｄの午前午後情報の論理を反転して論理“０”（すなわち午前）に修正する（ＳＴ３３）。尚、ステップＳＴ３３の実行により午前午後情報は確定するので動作例４の動作フローは終了する。
【００８５】
また、午前午後決定手段３３は、ステップＳＴ３１で否定判定がなされたならば、時刻修正された時刻が１２時００分から６時５９分の時刻範囲であるかどうかを判定する（ＳＴ３４）。ここで、肯定判定ならばステップＳＴ３５へ進み、否定判定ならば午前午後情報の判定が出来ないので他の処理へ進む。尚、他の処理としては、後述する実施例２の動作フローに進んでも良く、また、午前午後の判定が出来ないことを表示部３等を用いて使用者に示し、再度、午前午後判定動作を実行させても良い。
【００８６】
次に午前午後決定手段３３は、ステップＳＴ３４で肯定判定がなされたならば、修正された時刻は使用者の生活規則から考慮して午後であると判定し、時刻修正されたときに記憶された午前午後計時回路３３ｄの午前午後情報が論理“０”（すなわち午前）であるかどうかを判定する（ＳＴ３５）。ここで、肯定判定であればステップＳＴ３６へ進み、否定判定であれば午前午後情報を修正する必要がないので、動作例４の動作フローは終了する。
【００８７】
次に午前午後決定手段３３は、ステップＳＴ３５で肯定判定がなされたならば、時刻修正された時刻が午後であると判定したのに、記憶されている午前午後情報は論理“０”（すなわち午前）であるので、午前午後修正信号Ｐ１２を出力して午前午後計時回路３３ｄの午前午後情報の論理を反転して論理“１”（すなわち午後）に修正する（ＳＴ３６）。尚、ステップＳＴ３６の実行により午前午後情報は確定するので動作例４の動作フローは終了する。
【００８８】
尚、修正時刻を午前と判定するステップＳＴ３１での時刻範囲は限定されず、使用者の生活規則を考慮して例えば８時００分から１１時５９分、９時００分から１１時５９分、１０時００分から１１時５９分でも良い。また、修正時刻を午後と判定するステップＳＴ３４での時刻範囲も限定されず、ステップＳＴ３１の時刻範囲と対を成し、例えば１２時００分から７時５９分、１２時００分から８時５９分、１２時００分から９時５９分でも良い。また、ステップＳＴ３１とステップＳＴ３４の午前と午後の判定の順序も限定されず、ステップＳＴ３１とステップＳＴ３４の判定順序を入れ替えても良い。
【００８９】
以上のように動作例４は、電波修正時計の使用者が時刻修正した時刻に応じて午前午後情報を決定するものであり、使用者の生活規則を想定して実行されるので、ある程度不確定要素はあるが、光検出手段であるソーラセル２３によって午前午後情報の判定が出来ないときに、午前午後情報を決定する補助的手段として有効であり、電波修正時計の信頼性向上に役立つものである。尚、午前午後決定手段３３が動作を継続中に、使用者の操作
による強制受信や定時受信によって標準電波の受信が成功した場合は、午前午後決定手段３３は動作を停止し、受信した標準時刻に基づいて午前午後情報を確定して以降の定時受信を実行することが好ましい。
【実施例２】
【００９０】
次に図１０に基づいて本発明の実施例２としての電波修正時計の回路構成の概略を説明する。尚、本発明の実施例２は、光検出手段からの出力に基づいて標準電波の受信開始を制御する受信制御手段を有し、午前午後の判定ではなく、受信開始のタイミングを判定して標準電波の受信成功率を高めることを要点としている。また、本実施例２の回路構成は、実施例１に対してマイコン３０の内部構成の一部が異なるだけであるので、同一構成要素には同一番号を付し重複する説明は省略する。図１０に於いて、４０は実施例２の電波修正時計である。マイコン３０の内部の３８は受信開始を制御する受信制御手段である。該受信制御手段３８の内部にはアナログ量のソーラ電源Ｐ５を入力してデジタル情報に変換するアナログデジタル変換器３８ａ（以下Ａ／Ｄ３８ａと略記）を備えている。また、計時手段３２からの出力である計時情報Ｐ１０を入力し、受信制御信号Ｐ１３を制御手段３１に対して出力する。
【００９１】
以下、受信制御手段３８の動作を中心とした実施例２の動作例を図１１と図１２のフローチャートに基づいて説明する。尚、動作の前提条件としては実施例１と同等であるので説明は省略する。まず、実施例２の動作例１として図１１に於いて、マイコン３０の受信制御手段３８は、計時情報Ｐ１０を入力して１分が経過したかどうかを判定する（ＳＴ５０）。ここで、肯定判定であれば次のステップＳＴ５１へ進み、否定判定であればステップＳＴ５０へ戻り、１分が経過するまで待機状態を保持する。尚、待機時間は１分に限定されず、状況に応じて任意に設定して良い。
【００９２】
次に受信制御手段３８は、ステップＳＴ５０で肯定判定がなされたならば、ソーラセル２３からのソーラ電源Ｐ５を入力して内部のＡ／Ｄ３８ａによってデジタル情報に変換し、光検出情報として内部に記憶する（ＳＴ５１）。
【００９３】
次に受信制御断手段３８は、ステップＳＴ５１で取得した光検出情報を検証し、所定量を越える光が検出されたかどうかを判定する（ＳＴ５２）。ここで、肯定判定であれば次のステップＳＴ５３へ進み、否定判定であればステップＳＴ５４へ進む。
【００９４】
次に受信制御手段３８は、ステップＳＴ５２で肯定判定がなされたならば、所定量を越える光が検出された時刻を計時情報Ｐ１０によって把握しＲＡＭ３５に記憶する（ＳＴ５３）。例えば、所定量を越える光が６時００分に検出されたとすると、ＲＡＭ３５の所定領域に６時００分の時刻情報が記憶される。
【００９５】
次に受信制御手段３８は、ステップＳＴ５３終了後、または、ステップＳＴ５２で否定判定がなされたならば、ＲＡＭ３５の所定領域に記憶されている光が検出された時刻と、計時情報Ｐ１０によって得られる現在時刻とを比較し、所定時間が経過しているかどうかを判定する（ＳＴ５４）。例えば、ＲＡＭ３５に記憶されている時刻が６時００分であり、現在時刻が８時００分であるならば経過時間は２時間００分となる。該経過時間２時間００分は、所定量を超える光が検出されなかった時間であり、この経過時間が予め定めた所定時間を超えるならば、光が検出されないその経過時間は夜間であると想定することが出来る。
【００９６】
ここで一例として光が検出されない所定時間を６時間と定めたならば、前回、光が検出された時刻が６時００分であったとすると、６時００分から所定時間の６時間を経過した１２時００分まで光が検出されなかったならば、ステップＳＴ５４で肯定判定がなされ
る。また、光の検出が８時や９時にもなされるならば、光が検出されない経過時間は６時間を超えることはないので、ステップＳＴ５４では否定判定がなされる。ここで、ステップＳＴ５４で肯定判定ならば次のステップＳＴ５５へ進み、否定判定ならばステップＳＴ５０へ戻る。
【００９７】
次に受信制御手段３８は、ステップＳＴ５４で肯定判定がなされたならば、所定の時間以上に光が検出されなかったので、現在時刻が標準電波の受信に適した夜間であると判定し、受信制御信号Ｐ１３を制御手段３１に対して出力する。制御手段３１は受信制御信号Ｐ１３を入力し、受信部２０の同調手段２０ａと受信ＩＣ２１を制御して標準電波の受信を開始する（ＳＴ５５）。尚、図１１のフローチャートでは省略しているが、受信動作を開始して受信に成功したならば動作例１の動作フローは終了し、受信に成功しなかったならば、ステップＳＴ５０へ戻って動作フローを継続しても良い。
【００９８】
以上のように、本発明の実施例２の動作例１によるならば、光検出手段であるソーラセル２３による光の検出が所定の経過時間以上に検出されない場合は、夜間であると想定して受信手段によって標準電波の受信を行うので、時計の使用頻度が少なく、また、受信環境の良い夜間に標準電波の受信を行うことが出来、使い易く、且つ、受信成功率が高く信頼性に優れた電波修正時計を提供することが出来る。
【００９９】
次に、本発明の実施例２の動作例２を図１２に基づいて説明する。動作例２は定時受信の時刻より前の所定の時間範囲内での光検出手段による光の検出の有無によって受信動作の開始を決定することを特徴としている。図１２に於いて、マイコン３０の受信制御手段３８は、計時情報Ｐ１０を入力して１分が経過したかどうかを判定する（ＳＴ６０）。ここで、肯定判定であれば次のステップＳＴ６１へ進み、否定判定であればステップＳＴ６０へ戻り、１分が経過するまで待機状態を保持する。尚、待機時間は１分に限定されず、状況に応じて任意に設定して良い。
【０１００】
次に受信制御手段３８は、ステップＳＴ６０で肯定判定がなされたならば、ソーラセル２３からのソーラ電源Ｐ５を入力して内部のＡ／Ｄ３８ａによってデジタル情報に変換し、光検出情報として内部に記憶する（ＳＴ６１）。
【０１０１】
次に受信制御断手段３８は、ステップＳＴ６１で取得した光検出情報を検証し、所定量を越える光が検出されたかどうかを判定する（ＳＴ６２）。ここで、肯定判定であれば次のステップＳＴ６３へ進み、否定判定であればステップＳＴ６４へ進む。
【０１０２】
次に受信制御手段３８は、ステップＳＴ６２で肯定判定がなされたならば、所定量を越える光が検出された時刻を計時情報Ｐ１０によって把握しＲＡＭ３５に記憶する（ＳＴ６３）。例えば、所定量を越える光が１２時００分に検出されたとすると、ＲＡＭ３５の所定領域に１２時００分の時刻情報が記憶される。尚、ステップＳＴ６３を実行後、ステップＳＴ６０へ戻り、ステップＳＴ６０からステップＳＴ６３が繰り返し実行され、この結果、ＲＡＭ３５の所定領域には、光が検出された最後の時刻が記憶されることになる。
【０１０３】
また、受信制御手段３８は、ステップＳＴ６２で否定判定がなされたならば、ＲＡＭ３５の所定領域に記憶された光が検出された最後の時刻と、計時情報Ｐ１０より現在の時刻とを比較し、所定時間範囲内で光が未検出かどうかを判定する（ＳＴ６４）。ここで、肯定判定（所定時間範囲内で光が未検出）ならばステップＳＴ６５へ進み、否定判定（所定時間範囲内で光が検出されている）ならばステップＳＴ６６へ進む。尚、所定時間範囲とは、例えば、定時受信の時刻が２時に設定されていたとすると、１２時から定時受信時刻の２時までの２時間を所定時間範囲とする。また、定時受信が４時に設定されていたとするならば、２時から定時受信時刻の４時までの２時間を所定時間範囲とする。また、定
時受信時刻は、受信環境の良い深夜の２時や４時に行うことが好ましいが、所定時間範囲は２時間とは限定されず、状況に応じて任意に設定して良い。
【０１０４】
次に受信制御手段３８は、ステップＳＴ６４で肯定判定がなされたならば、予め定められた定時受信時刻より前の所定時間範囲で光の検出が未検出だったので、定時受信時刻が夜間（例えば、午前２時や午前４時）であると判定して、受信制御信号Ｐ１３を制御手段３１に対して出力する。制御手段３１は受信制御信号Ｐ１３を入力し、受信部２０の同調手段２０ａと受信ＩＣ２１を制御して標準電波の受信を開始する（ＳＴ６５）。
【０１０５】
また、受信制御手段３８は、ステップＳＴ６４で否定判定がなされたならば、予め定められている定時受信時刻と、計時情報Ｐ１０によって得られる現在時刻を比較し、定時受信時刻が既に経過したかどうかを判定する（ＳＴ６６）。ここで、肯定判定（定時受信時刻が既に経過した）ならば、定時受信時刻の前の所定時間範囲内で光が検出されたので、現在時刻は昼間であると判定して動作フローを終了する。また、否定判定がなされたならば、定時受信時刻より前の所定時間範囲内での光の検出の有無が未判定なので、光検出動作を継続するためにステップＳＴ６０へ戻り光検出動作を継続する。尚、図１２のフローチャートでは省略しているが、ステップＳＴ６５で受信動作を開始して受信に成功したならば動作例２の動作フローは終了し、受信に成功しなかった場合は、定時受信時刻が過ぎていなければステップＳＴ６０へ戻って光検出動作を継続し、定時受信時刻が過ぎている場合は、動作例２の動作フローを終了することが好ましい。
【０１０６】
以上のように、本発明の実施例２の動作例２によるならば、定時受信時刻より前の所定時間範囲内での光検出手段による光の検出の有無によって受信動作の開始を決定するので、予め定められている定時受信時刻に対して現在時刻が昼間であるか夜間であるかの想定が可能となり、受信環境の良い深夜の定時時刻に標準電波の受信を選択出来、信頼性に優れた電波修正時計を提供することが出来る。
【０１０７】
尚、本発明の実施例１、実施例２に於いて光検出手段はソーラセルとしたが、これに限定されるものではなく、例えば、電波修正時計の電源は一次電池とし、光検出手段はフォトダイオードやフォトトランジスタ等でも良い。また、実施例１及び実施例２で示した各フローチャートは、これに限定されず、本発明の要旨を逸脱しない範囲で任意に変更出来る。また、実施例１及び実施例２で示した回路ブロック図も、この構成に限定されるものではなく、例えば、マイコンを使用せずにカスタムＩＣによるハードウエアによって構成しても良い。
【図面の簡単な説明】
【０１０８】
【図１】本発明の電波修正時計と標準電波を送信する送信局との関係を示した説明図である。
【図２】本発明の実施例１の電波修正時計の回路ブロック図である。
【図３】本発明の実施例１の計時手段の内部構成図とその動作表である。
【図４】本発明の実施例１の光検出時間数での午前午後判定動作を説明するフローチャートである。
【図５】本発明の実施例１の光検出時間数での午前午後判定動作を説明する説明図である。
【図６】本発明の実施例１の特定時刻範囲での光検出による午前午後判定動作を説明するフローチャートである。
【図７】本発明の実施例１の特定時刻範囲での光検出による午前午後判定動作を説明する説明図である。
【図８】本発明の実施例１の光検出量の強さによる午前午後判定動作を説明するフローチャートである。
【図９】本発明の実施例１の時刻修正された時刻に応じて午前午後判定する動作を説明するフローチャートである。
【図１０】本発明の実施例２の電波修正時計の回路ブロック図である。
【図１１】本発明の実施例２の所定時間以上に光検出されない場合の受信開始動作を説明するフローチャートである。
【図１２】本発明の実施例２の定時受信時刻前の所定時間範囲での光検出の有無による受信開始動作を説明するフローチャートである。
【符号の説明】
【０１０９】
１、４０  電波修正時計
２  外装
３  表示部
４  受信アンテナ
５  入力手段
５ａ  リューズ
５ｂ、５ｃ  操作ボタン
１０  送信局
１１  送信アンテナ
１２  原子時計
１３  標準電波
２０  受信部
２０ａ  同調手段
２１  受信ＩＣ
２２  基準信号源
２３  ソーラセル
２４  二次電池
３０  マイコン
３１  制御手段
３２  計時手段
３２ａ  秒計時回路
３２ｂ  分計時回路
３２ｃ  時計時回路
３２ｄ  午前午後計時回路
３２ｅ  カレンダ回路
３３  午前午後決定手段
３３ａ、３８ａ  Ａ／Ｄ
３４  充電制御手段
３５  ＲＡＭ
３６  ＲＯＭ
３８  受信制御手段
Ｐ１  同調信号
Ｐ２  復調信号
Ｐ３  入力信号
Ｐ４  基準信号
Ｐ５  ソーラ電源
Ｐ６  標準時刻情報
Ｐ７  時刻修正情報
Ｐ８  切替信号
Ｐ１０  計時情報
Ｐ１２  午前午後修正信号
Ｐ１３  受信制御信号
【図１】
2005337880.tif 000003
【図２】
2005337880.tif 000004
【図３】
2005337880.tif 000005
【図４】
2005337880.tif 000006
【図５】
2005337880.tif 000007
【図６】
2005337880.tif 000008
【図７】
2005337880.tif 000009
【図８】
2005337880.tif 000010
【図９】
2005337880.tif 000011
【図１０】
2005337880.tif 000012
【図１１】
2005337880.tif 000013
【図１２】
2005337880.tif 000014